【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
カスタム化負荷制御方法であって、
変更交流電力を受電するステップであって、前記変更交流電力が、メッセージを伝達するための遅延の加入によって変更される、ステップと、
前記変更交流電力内の前記メッセージを、コンピュータ読み取り可能なフォーマットに変更するステップと、
前記メッセージに関係して、実行するアクションを決定するステップと、
前記メッセージに基づいて、前記アクションを実行するために前記変更交流電力を利用するステップと、
を含む、カスタム化負荷制御方法。
【請求項２】
請求項１記載の方法において、前記遅延が、前記変更交流電力のゼロ交差点周囲において与えられる、方法。
【請求項３】
請求項１記載の方法であって、更に、負電圧を除去するために、前記変更交流電力を整流するステップを含む、方法。
【請求項４】
請求項１記載の方法であって、更に、前記変更交流電力を方形波に変換するステップを含み、前記方形波が前記遅延を含む、方法。
【請求項５】
請求項１記載の方法において、前記アクションを実行するステップが、前記メッセージにしたがって負荷を作動させるステップを含む、方法。
【請求項６】
請求項１記載の方法において、前記アクションを実行するステップが、負荷に他のデバイスと通信させるステップを含む、方法。
【請求項７】
カスタム化負荷制御電気デバイスであって、
変更交流電力を濾波して濾波信号を形成する交流フィルタと、
前記変更交流電力を利用して、前記負荷にアクションを実行させる電圧／電流変換器と、
ロジックを格納する負荷計算デバイスと、
を含み、前記ロジックがプロセッサによって実行されると、前記電気デバイスに、少なくとも、
前記交流フィルタから前記濾波信号を受け取らせ、
前記濾波信号から、前記変更交流電力に含まれるメッセージを確認させ、前記メッセージが、前記変更交流電力のそれぞれのゼロ交差点周囲において複数の遅延として設定され 、
前記メッセージから、前記負荷が実行するアクションを決定させ、
前記アクションに関係する命令を前記電圧／電流変換器に伝達させ、前記電圧／電流変換器が、前記命令を利用して、前記アクションを実行するために、前記変更交流電力を変換する、電気デバイス。
【請求項８】
請求項７記載の電気デバイスにおいて、前記交流フィルタが、更に、前記変更交流電力を方形波に変換し、前記方形波が前記複数の遅延を含む、電気デバイス。
【請求項９】
請求項７記載の電気デバイスであって、更に、前記変更交流電力を受電し、前記変更交流電力から負電圧を除去する電圧整流器を含む、電気デバイス。
【請求項１０】
請求項７記載の電気デバイスであって、更に、前記変更交流電力を受け取り、前記変更交流電力の特性を判定し、前記特性に関するデータを前記負荷計算デバイスに伝達する電圧検出器を含む、電気デバイス。
【請求項１１】
請求項７記載の電気デバイスであって、更に、前記負荷計算デバイスから伝達されたデータを、前記電圧／電流変換器に合わせてフォーマットするインターフェースを含む、電気デバイス。
【請求項１２】
請求項７記載の電気デバイスであって、更に、前記負荷を含み、前記負荷が照明デバイスを含む、電気デバイス。
【請求項１３】
請求項７記載の電気デバイスにおいて、前記アクションが、前記負荷の出力を変更すること、および前記負荷に他のデバイスと通信させることの内少なくとも１つを含む、電気デバイス。
【請求項１４】
電気デバイスと負荷とを含むカスタム化負荷制御システムであって、前記電気デバイスが、
変更交流電力を利用して、前記負荷にアクションを実行させる電圧／電流変換器と、
ロジックを格納する負荷計算デバイスと、
を含み、前記ロジックをプロセッサによって実行すると、前記電気デバイスに、少なくとも、
前記変更交流電力を受電させ、前記変更交流電力が、当該変更交流電力と同じ周波数で送信されたメッセージを含み、前記変更交流電力のゼロ交差点付近において、前記メッセージに遅延を設定し、
前記メッセージから、前記負荷が実行するアクションを決定させ、
前記アクションに関係する命令を前記電圧／電流変換器に伝達させ、前記電圧／電流変換器が前記命令を利用して、前記負荷が前記アクションを実行するために、前記変更交流電力を変換する、システム。
【請求項１５】
請求項１４記載のシステムであって、更に、交流フィルタを含み、前記交流フィルタが前記変更交流電力を方形波に変換し、前記方形波が前記遅延を含む、システム。
【請求項１６】
請求項１４記載のシステムであって、更に、前記変更交流電力を受電し、前記変更交流電力から負電圧を除去する電圧整流器を含む、システム。
【請求項１７】
請求項１４記載のシステムであって、更に、前記変更交流電力を受電し、前記変更交流電力の特性を判定し、前記特性に関係するデータを前記負荷計算デバイスに伝達する電圧検出器を含む、システム。
【請求項１８】
請求項１４記載のシステムであって、更に、前記負荷計算デバイスから伝達されたデータを、前記電圧／電流変換器に合わせてフォーマットするインターフェースを含む、システム。
【請求項１９】
請求項１４記載のシステムであって、更に、前記電気デバイスと同じ位置に配置された電気回路パネルを含む、システム。
【請求項２０】
請求項１４記載のシステムであって、更に、前記メッセージを含むように交流電力を変更する交流コントローラを含む、システム。
【請求項２１】
交流電力を介して通信を提供する方法であって、
所定の周波数の交流電力を受電するステップと、
デバイスに対する通信データを受信するステップと、
前記通信データから、前記デバイスに送るメッセージを決定するステップと、
所定のフォーマットにしたがって前記通信データを前記メッセージに変換するために、前記交流電力に対する変更を決定するステップと、
前記交流電力のゼロ交差点を判定するステップと、
前記メッセージを送るために、前記所定のフォーマットにしたがって前記ゼロ交差点周囲において前記交流電力を変更するステップと、
前記所定のフォーマットにしたがって、前記メッセージを有する前記変更交流電力を前記デバイスに送るステップと、
を含む、方法。
【請求項２２】
請求項２１記載の方法において、前記交流電力を変更するステップが、前記ゼロ交差点の後、前記交流電力の伝送を所定の時間量だけ遅延させるステップを含む、方法。
【請求項２３】
請求項２１記載の方法において、前記所定のフォーマットが、二進「１」を表すために、前記ゼロ交差点の後前記交流電力の伝送を所定の時間量だけ遅延させることと、二進「０」を表すために、前記交流電力の伝送を遅延させないこととを含む、方法。
【請求項２４】
請求項２１記載の方法において、前記所定のフォーマットが、前記交流電力の伝送を遅延させることを含み、第１遅延量が第１信号を表し、第２遅延量が第２信号を表す、方法。
【請求項２５】
請求項２１記載の方法であって、更に、前記変更交流電力を照明デバイスに送るステップを含み、前記メッセージが前記照明デバイスの出力を制御する、方法。
【請求項２６】
請求項２１記載の方法であって、更に、前記変更交流電力を照明デバイスに送るステップを含み、前記照明デバイスが前記メッセージを利用して他のデバイスと通信する、方法。
【請求項２７】
交流電力を介して通信を提供する交流コントローラであって、
所定の周波数の前記交流電力を受電し、前記交流電力を変更するトランジスタと、
前記トランジスタに結合され、前記交流電力を受電し、前記交流電力がゼロ・ボルトを交差することを示すゼロ交差点を判定するゼロ交差検出器と、
前記ゼロ交差検出器に結合された交流コントローラ計算デバイスと、
を含み、前記交流コントローラ計算デバイスがロジックを含み、プロセッサによって前記ロジックが実行されると、前記交流コントローラに、少なくとも、
前記交流電力内に含ませるメッセージを含む通信を、リモート・コンピューティング・デバイスから受信させ、
前記所定の周波数の前記交流電力内に前記メッセージを含ませるために、前記交流電力を変更する所定のフォーマットを決定させ、
前記交流電力がゼロ・ボルトを交差するときを示すデータを、前記ゼロ交差検出器から受け取らせ、
前記メッセージを含ませるために前記交流電力を変更する命令を、前記トランジスタに供給させる、交流コントローラ。
【請求項２８】
請求項２７記載の交流コントローラにおいて、前記交流電力を変更することが、前記ゼロ交差点の後、前記交流電力の伝送を所定の時間量だけ遅延させることを含む、交流コントローラ。
【請求項２９】
請求項２７記載の交流コントローラにおいて、前記所定のフォーマットが、二進「１」を表すために、前記ゼロ交差点の後前記交流電力の伝送を所定の時間量だけ遅延させることと、二進「０」を表すために、前記交流電力の伝送を遅延させないこととを含む、交流コントローラ。
【請求項３０】
請求項２７記載の交流コントローラにおいて、前記所定のフォーマットが、前記交流電力の伝送を遅延させることを含み、第１遅延量が第１信号を表し、第２遅延量が第２信号を表す、交流コントローラ。
【請求項３１】
請求項２７記載の交流コントローラにおいて、前記トランジスタが、前記変更交流電力を照明デバイスに送り、前記メッセージが前記照明デバイスの出力を制御する、交流コントローラ。
【請求項３２】
請求項２７記載の交流コントローラにおいて、前記トランジスタが、前記変更交流電力を照明デバイスに送り、前記照明デバイスが前記メッセージを利用して他のデバイスと通信する、交流コントローラ。
【請求項３３】
請求項２７記載の交流コントローラにおいて、前記交流コントローラが、ユーザ家屋において電気回路パネルに結合される、交流コントローラ。
【請求項３４】
交流電力を介して通信を提供し、交流コントローラを含むシステムであって、前記交流コントローラが、
所定の周波数の前記交流電力を受電し、前記交流電力を変更し、前記変更交流電力を電気デバイスに出力するトランジスタと、
前記トランジスタに結合され、前記交流電力を受電し、前記交流電力がゼロ・ボルトを交差することを示すゼロ交差点を判定するゼロ交差検出器と、
前記ゼロ交差検出器に結合された交流コントローラ計算デバイスと、
を含み、前記交流コントローラ計算デバイスがロジックを含み、プロセッサによって前記ロジックが実行されると、前記交流コントローラに、少なくとも、
前記交流電力内に含ませるメッセージを含む通信を、リモート・コンピューティング・デバイスから受信させ、
前記所定の周波数の前記交流電力内に前記メッセージを含ませるために、前記交流電力の少なくとも一部を遅延させる所定のフォーマットを決定させ、
前記交流電力がゼロ・ボルトを交差するときを示すデータを、前記ゼロ交差検出器から受け取らせ、
前記メッセージを含ませるために前記交流電力の少なくとも一部を遅延させる命令を、前記トランジスタに供給させる、システム。
【請求項３５】
請求項３４記載のシステムにおいて、前記交流電力の少なくとも一部を遅延させることが、前記ゼロ交差点の後、前記交流電力の伝送を所定の時間量だけ遅延させることを含む、システム。
【請求項３６】
請求項３４記載のシステムにおいて、前記所定のフォーマットが、二進「１」を表すために、前記ゼロ交差点の後前記交流電力の伝送を所定の時間量だけ遅延させることと、二進「０」を表すために、前記交流電力の伝送を遅延させないこととを含む、システム。
【請求項３７】
請求項３４記載のシステムにおいて、前記所定のフォーマットが、前記交流電力の伝送を遅延させることを含み、第１遅延量が第１信号を表し、第２遅延量が第２信号を表す、システム。
【請求項３８】
請求項３４記載のシステムであって、更に、前記メッセージを受信し、前記メッセージに応答して機能を実行する電気デバイスを含む、システム。
【請求項３９】
請求項３４記載のシステムであって、更に、前記電気デバイスを含み、前記電気デバイスが照明デバイスとして構成され、前記メッセージが前記照明デバイスの出力を制御する、システム。
【請求項４０】
請求項３４記載のシステムであって、更に、ユーザ家屋において配置された電気回路パネルを含み、前記電気回路パネルが前記電気デバイスの動作を制御する、システム。